(57)【特許請求の範囲】
【請求項１】
相互に異なる指定シグナリング標準を有する少なくとも２つのサービスネットワーク（ＧＳＭ，ＰＳＴＮ）の範囲を拡張するための遠距離通信システム（ＴＳ）に於いて、該遠距離通信システム（ＴＳ）は無線基盤アクセスネットワーク（ＡＣＣ）を含み、これは各々のサービスネットワーク（ＧＳＭ，ＰＳＴＮ）に対して少なくとも１つのポート（Ｐ２，Ｑ１）を含み、ここでポート（Ｐ２，Ｑ１）はアクセスネットワーク（ＡＣＣ）内の少なくとも１つの基地局（ＢＳ２）に接続されており、ここでアクセスネットワーク（ＡＣＣ）はまた無線基盤アクセスネットワーク部を含み、これは基地局（ＢＳ２）をアクセスネットワーク内の無線装置（ＧＵ）に接続することが可能であり、この無線装置（ＧＵ）は該無線装置（ＧＵ）の本拠ネットワーク（ＧＳＭ）と呼ばれるサービスネットワークの１つに属するものとして登録され、アクセスネットワーク（ＡＣＣ）内の信号キャリア（ＳＣ１，ＳＣ２）は無線装置（ＧＵ）内に第一端末ポイントをまたアクセスネットワーク（ＡＣＣ）を本拠ネットワーク（ＧＳＭ）と接続するポート（Ｐ２）内に第二端末ポイントを有し、ポート（Ｐ２）はアクセスネットワーク（ＡＣＣ）内の信号キャリア（ＳＣ１，ＳＣ２）と本拠ネットワーク（ＧＳＭ）内の信号キャリア（ＳＣＧＳＭ）とを結合するように機能し、
前記遠距離通信システム（ＴＳ）が無線基盤データ輸送ネットワーク（ＴＲＮ）を含み、ここでこの輸送ネットワーク（ＴＲＮ）はポート（Ｐ２）と基地局（ＢＳ２）とに接続され、この輸送ネットワーク（ＴＲＮ）は無線基盤輸送ネットワーク部を含みこれは基地局（ＢＳ２）を無線装置（ＧＵ）に接続することが可能であり、無線装置（ＧＵ）は輸送ネットワーク（ＴＲＮ）を通る透過データキャリア（ＤＣ１，ＤＣ２）用の第一端末ポイントを形成し、ポート（Ｐ２）は輸送ネットワーク（ＴＲＮ）を通る透過データキャリア（ＤＣ１，ＤＣ２）用の第二端末ポイントを形成し、ここでポート（Ｐ２）は輸送ネットワーク（ＴＲＮ）内のデータキャリア（ＤＣ１，ＤＣ２）を本拠ネットワーク（ＧＳＭ）内のデータキャリア（ＤＣＧＳＭ）と結合するように機能し、
前記無線装置（ＧＵ）がアクセス装置（ＡＰＧ）を含みこれはアクセスネットワーク（ＡＣＣ）内の信号キャリア（ＳＣ１，ＳＣ２）用の第一端末ポイントを形成し、無線装置（ＧＵ）はまたサービス装置（ＳＰＧ）をも含みこれはアクセスネットワーク（ＡＣＣ）内の信号キャリア（ＳＣ１，ＳＣ２）上で、本拠ネットワーク（ＧＳＭ）内で指定されたシグナリング標準と同一の指定シグナリング標準で信号の送信および受信を行うように機能し、
前記アクセス装置（ＡＰＧ）がまた輸送ネットワーク（ＴＲＮ）内のデータキャリア（ＤＣ１，ＤＣ２）用の第一端末ポイントを形成し、サービス装置（ＳＰＧ）が輸送ネットワーク（ＴＲＮ）内のデータキャリア（ＤＣ１，ＤＣ２）上で、本拠ネットワーク（ＧＳＭ）内で指定されたデータ通信レートと同一データ通信レートでデータの送信および受信を行うように機能する、前記遠距離通信システム（ＴＳ）。
【請求項２】
請求項１に記載の遠距離通信システム（ＴＳ）に於いて、ポート（Ｐ２）がアクセスネットワーク（ＡＣＣ）の境界上にある第一シグナリングノード（ＳＴＥＰ）と、本拠ネットワーク（ＧＳＭ）の境界上にある第二シグナリングノード（ＭＴＰＰ）とを含み、ここで第一シグナリングノード（ＳＴＥＰ）がアクセスネットワークを通る信号キャリア用の第二端末ポイントを形成し、第二シグナリングノード（ＭＴＰＰ）が本拠ネットワーク（ＧＳＭ）を通る信号キャリア用の端末ポイントを形成し、そしてノード（ＳＴＥＰ，ＭＴＰＰ）がそれぞれのノード（ＳＴＥＰ，ＭＴＰＰ）が境界を接するネットワーク（ＡＣＣ，ＧＳＭ）内で使用されているものと同一の指定シグナリング標準を使用する、前記遠距離通信システム（ＴＳ）。
【請求項３】
請求項２に記載の遠距離通信システム（ＴＳ）に於いて、ポート（Ｐ２）が伝送装置（ＴＥＰ）を含みこれは本拠ネットワーク標準を有する信号をアクセスネットワーク（ＡＣＣ）内の信号キャリア（ＳＣ１，ＳＣ２）から本拠ネットワーク（ＧＳＭ）内の信号キャリア（ＳＣＧＳＭ）へ伝送するように機能し、そして伝送装置（ＴＥＰ）は本拠ネットワーク標準を具備する信号を本拠ネットワーク（ＧＳＭ）内の信号キャリア（ＳＣＧＳＭ）からアクセスネットワーク（ＡＣＣ）内の信号キャリア（ＳＣ１，ＳＣ２）へ伝送するように機能する、前記遠距離通信システム（ＴＳ）。
【請求項４】
請求項２に記載の遠距離通信システム（ＴＳ）に於いて、ポート（Ｐ２）が伝送装置を含みこれは本拠ネットワーク通信レートを具備する信号を輸送ネットワーク（ＴＲＮ）内のデータキャリア（ＤＣ１，ＤＣ２）から本拠ネットワーク（ＧＳＭ）内の信号キャリア（ＤＣＧＳＭ）へ伝送するように機能し、そして伝送装置は本拠ネットワーク通信速度を具備する信号を本拠ネットワーク（ＧＳＭ）内の信号キャリア（ＤＣＧＳＭ）からアクセスネットワーク（ＡＣＣ）内の信号キャリア（ＤＣ１，ＤＣ２）へ伝送するように機能する、前記遠距離通信システム（ＴＳ）。
【請求項５】
異なる指定シグナリング標準を有する少なくとも２つのサービスネットワーク（ＧＳＭ，ＧＳＭ’，ＧＳＭ”，ＰＳＴＮ）の範囲を拡張するための遠距離通信システム（ＴＳ）に関する方法であって、この方法が：
−少なくとも１つの入力ポート（Ｐ２，Ｐ２’，Ｐ２”，Ｑ１）を各々のサービスネットワーク（ＧＳＭ，ＧＳＭ’，ＧＳＭ”，ＰＳＴＮ）に接続し；
−無線基盤アクセスネットワーク（ＡＣＣ）を入力ポート（Ｐ２，Ｐ２’，Ｐ２”，Ｑ１）に接続し；そして
−アクセスネットワーク（ＡＣＣ）内の少なくとも１つの基地局（ＢＳ２）を入力ポート（Ｐ２，Ｐ２’，Ｐ２”，Ｑ１）に接続するステップを含み、ここで基地局（ＢＳ２）はアクセスネットワーク内の少なくとも２つの無線装置（ＧＵ，ＰＵ）への無線接続を確立する事が可能であり、この無線装置はサービスネットワーク（ＧＳＭ，ＧＳＭ’，ＧＳＭ”，ＰＳＴＮ）の１つと同一標準型式である電話ネットワークに属するものとして登録され、この電話ネットワークがこの無線装置の本拠ネットワークとして指定される、以上のステップを含み、
前記アクセスネットワーク（ＡＣＣ）が基地局（ＢＳ２）と入力ポート（Ｐ２，Ｐ２’，Ｐ２”，Ｑ１）との間に接続された無線制御装置（ＲＮＣ２）を含み、前記方法が更に：
−無線制御装置（ＲＮＣ２）内にポート（Ｐ２，Ｐ２’，Ｐ２”，Ｑ１）と境界を接するサービスネットワーク（ＧＳＭ，ＧＳＭ’，ＧＳＭ”，ＰＳＴＮ）を開示する情報を格納し、そしてサービスネットワーク（ＧＳＭ，ＧＳＭ’，ＧＳＭ”，ＰＳＴＮ）の運用管理者とその他のネットワークの運用管理者との間の協調関係を開示する情報を格納し；
−無線装置の本拠ネットワークに対応するサービスネットワーク識別子を前記無線装置から無線制御装置（ＲＮＣ２）へ送り；
−無線制御装置（ＲＮＣ２）内に、それとの間に協調関係が見いだされかつ、その指定標準が本拠ネットワークの標準と同一であるサービスネットワーク（ＧＳＭ）の入力ポート（Ｐ２）を指示し；
−信号キャリアを無線装置と指定されたサービスネットワーク（ＧＳＭ，ＧＳＭ’）の入力ポート（Ｐ２，Ｐ２’）との間に確立し；
−アクセスネットワーク（ＡＣＣ）内の信号キャリアとサービスネットワーク（ＧＳＭ，ＧＳＭ’）内の信号キャリアとを結合し；そして
−無線装置と指定されたサービスネットワーク（ＧＳＭ，ＧＳＭ’）との間に信号を伝送するステップを含み、前記信号が指定されたサービスネットワーク（ＧＳＭ，ＧＳＭ’）内で指定された標準と同一の指定標準である、以上のステップを含む、前記遠距離通信システムに関する方法。
【請求項６】
請求項５に記載の遠距離通信システム（ＴＳ）に関する方法であって、この方法が：
−輸送ネットワーク（ＴＲＮ）を入力ポート（Ｐ２，Ｑ１）に接続し；
−輸送ネットワーク（ＴＲＮ）を基地局（ＢＳ２）と無線装置（ＧＵ）とに接続し；
−輸送ネットワーク内のデータキャリア（ＤＣ２，ＤＣ１）を無線装置（ＧＵ）と入力ポート（Ｐ２）との間に確立し；
−輸送ネットワーク内のデータキャリア（ＤＣ１，ＤＣ２）と本拠ネットワーク内のデータキャリア（ＤＣＧＳＭ）とを結合し；そして
−データを無線装置（ＧＵ）と本拠ネットワーク（ＧＳＭ）との間でデータキャリア（ＤＣ１，ＤＣ２，ＤＣＧＳＭ）上で送るステップを含み、前記データが本拠ネットワーク（ＧＳＭ）内で指定された通信レートと同一の通信レートで通信される、以上のステップを含む前記遠距離通信システム（ＴＳ）に関する方法。
【請求項７】
異なる指定標準を有する少なくとも２つのサービスネットワーク（ＶＯＤ，ＧＳＭ，ＰＳＴＮ，ＩＮＴＥＲＮＥＴ）に接続されているアクセスネットワーク（ＡＣＣ）内の１つの無線装置（ＴＵ，ＧＵ，ＰＵ，ＣＵ）であって、この無線装置は１つのサービスネットワークに属するものとして登録され、前記サービスネットワーク（ＧＳＭ）が無線装置（ＧＵ）の本拠ネットワークとして指定され、無線ネットワーク（ＧＵ）がアクセスネットワーク（ＡＣＣ）内の基地局（ＢＳ２）との無線接続を保持するように機能するアクセス装置（ＡＰＧ）を含み、またこの無線装置（ＧＵ）がまた無線接続を経由して本拠ネットワーク（ＧＳＭ）内で指定された標準と同一の指定信号標準を有する信号を送信および受信するように機能するサービス装置（ＳＰＧ）を含む、前記無線装置。
【請求項８】
請求項７に記載の無線装置（ＧＵ）に於いて、このサービス装置（ＳＰＧ）がまた本拠ネットワーク内で指定された通信レートと同一のデータ通信レートを有するデータ信号を送信および受信するように機能する、前記無線装置。
【発明の詳細な説明】
技術分野
本発明は互いに異なる指定標準を有するいわゆるサービスネットワークと呼ばれる、少なくとも２つの遠距離通信ネットワークの範囲を拡大するための構成ならびに方法に関する。
背景技術
遠距離通信システムでの機動性に対する需要が増大するに伴い、電話ネットワークが地理的に大きな領域をカバーすることが要求される。電話ネットワークの地理的な範囲を拡大するための自然な解決策は、ネットワークを拡張する事である。その拡張は指定されたネットワーク標準に適合するように最適化される。欧州特許明細書０  ６０２  ８５７は電話ネットワークの範囲を拡大するための別の解決方法を開示している。この明細書は固定電話ネットワーク内のサービスに、移動体電話ネットワーク内の移動体装置から如何にして透過的に接続出来るかを記述している。この刊行物によれば、移動体から外部へ出る全ての呼は最初に固定電話ネットワーク内のプログラム装置へ回送または転送される。この呼は続いてそれがあたかもプログラム装置から設定されたかの様に取り扱われ、固定ネットワークのサービスへのアクセスが与えられる。別の解決策が国際特許明細書ＷＯ９４／１３１１２に開示されており、これは無線基盤のアクセスを地上基盤の遠距離通信システムに供給するための方法を示している。先に述べた明細書は指定信号標準を有する電話ネットワークを拡張して、より広い地理的領域をカバーするための解決方法を教えている。もしもこれらの刊行物に示されている解決策が、相互に異なる指定標準を有するいくつかのネットワークのカバー領域を拡大するために適用されるとなると、個々のネットワーク所有者に対する総コストは膨大なものとなるであろう。米国特許明細書ＵＳ５，３０３，２８６はセルラネットワークと統合されているＰＣＮシステム（パーソナル通信ネットワーク）を含む遠距離通信システムを開示している。ＰＣＮシステムはセルラネットワークの一部であり、ＰＣＮシステムの負荷が非常に重くなるとセルラシステム内のある周波数をＰＣＮシステムの中で使用者を割り振ることができる。この遠距離通信システムはまた、地上基盤ネットワーク部も含み、これは信号をＰＣＮ使用者からＰＣＮシステムへセルラネットワーク経由で送信することが可能であり、セルラネットワークが無線アクセスの中で使用されているにも関わらずあたかもＰＣＮシステムの使用者がＰＣＮネットワーク内に存在するかのように認識されるごとく行われる。２つのシステムにはセルラネットワークから接続することが出来る。両システムへのアクセスを行うために共通の無線装置が使用される。米国特許明細書の中で提案されている解決策は、複雑でかつシステムの柔軟性を提供することに失敗しており、また含まれている２つのシステムに対して特別に適合されている標準無線インタフェースを必要とする。異なる型式の指定信号標準を有するサービスネットワークを更に追加する場合は、既に実施されているものに加えて更なる適応化を必要とし、この解決策を更に複雑なものとする。
発明の開示
互いに異なる指定標準を有するいくつかの遠距離通信ネットワークの地理的なカバー領域を拡大する際の問題は、各々個別のネットワークを拡張する際にネットワーク所有者に課せられるコストにある。いわゆるサービスネットワークと呼ばれる、遠距離通信ネットワークを最適化するための努力は事実上、相互に異なる指定標準を有するいくつかの遠距離通信ネットワークに対して共通の遠距離通信ネットワークを使用するという、心理的な障害との戦いであったといって過言ではない。指定ネットワーク標準は、前記ネットワーク内で通信する際にネットワークで使用されるシグナリングプロトコルとして定義され、すなわちネットワーク内の”言語”シグナリングノードが互いに通信を行うために使用される。ネットワークの地理的カバー領域を拡大する際に直面する別の問題は、共通ネットワーク内の加入者に対して共通インタフェースが必要であると言う点である。共通ネットワーク加入者は地上基盤サービスネットワークと無線基盤サービスネットワークの両方に属するはずである。
この問題は本発明によれば、それらのサービスネットワークを共通無線基盤ユニバーサルネットワークに接続することで解決されている。ユニバーサルネットワークはアクセスネットワーク部と転送ネットワーク部とを含む。本発明によれば、透過シグナリング接続が必要な場合、最初にいわゆる信号キャリアがアクセスネットワークを通して前記アクセスネットワーク内の無線装置と、そこに無線装置が属するサービスネットワーク、いわゆる無線装置本拠ネットワークとの間に確立される。これにより無線装置と本拠ネットワークとの間の通信が可能となり、これは本拠ネットワーク内で使用されているのと同一の指定シグナリング標準で実行される。無線装置はアクセス部を含み、これはアクセスネットワークとの無線接続を経由して、アクセスネットワークを通して本拠ネットワークへの透過接続の確立を処理する。無線装置はまたサービス部を含み、これは希望するシグナリングメッセージを透過接続を経由して送受信することが可能である。この点に関して、サービス部は本拠ネットワーク内で使用されている標準と同一の指定シグナリング標準に基づいて信号の受信および送信を行う。従って本発明によれば、最初に信号キャリアがアクセスネットワークを経由して、無線装置のアクセス部と前記装置の本拠ネットワークとの間に確立される。次にメッセージがアクセスネットワークを通して信号キャリア経由でサービス部と本拠ネットワークとの間で透過的に輸送出来る。
無線装置と本拠ネットワークとの間のシグナリングの際に、透過データキャリアが先に説明した輸送ネットワークを通して要求に応じて確立出来る。次にデータをサービス部とその無線装置の本拠ネットワークとの間で、その本拠ネットワーク内で使用されているのと同一の通信レートまたは速度で通信することが出来る。音響データ（音声）およびビデオデータは異なるサービスネットワーク内で異なる通信レートを有するデータ情報の例である。
本発明の１つの目的は異なるサービスネットワークの地理的範囲を拡張することである。
この目的は異なる指定標準を有するサービスネットワークに対して共通のアクセスネットワークを使用することで実現できる。この目的はまた、異なる指定標準を有するサービスネットワークに対して共通の輸送ネットワークを使用することで実現できる。
本発明の別の目的はユニバーサルネットワーク内に配置されている使用者に対する柔軟性を強化することである。この目的は本発明によればアクセスおよび輸送ネットワークに無線通信機能を具備させることで実現されている。
本発明の別の目的はアクセスネットワークを通して信号キャリアを確立し、アクセスネットワーク内に配置されサービスネットワークの１つ、いわゆる本拠ネットワークの中の本拠地加入者として登録される無線装置が、本拠ネットワークと該本拠ネットワークの指定シグナリング標準の助けを借りて通信出来るようにすることである。
本発明の更に別の目的は、要求時にデータキャリアを輸送ネットワークを通して確立し、無線装置が本拠ネットワークの指定データ通信レートでデータ通信が行えるようにすることである。
本発明でもたらされる１つの重要な特長は、異なるサービスネットワークに所属する加入者に関して機動性と柔軟性の強化が得られる点にある。
本発明でもたらされる別の特長は、機動性と柔軟性を増すための強化に掛かるコストが、各々のサービスネットワーク毎に拡張する場合に掛かるコストに比較して少ない点にある。
次に本発明を例として示す実施例および添付図を参照して詳細に説明する。
【図面の簡単な説明】
図１は複数のサービスネットワークに接続されたアクセスネットワークの俯瞰図。
図２は第７シグナリング用ＯＳＩモデルの原理を図式的に示す。
図３は遠距離通信システムのブロック図であり、信号およびデータキャリアに印が付けられている。
図４は異なる指定標準を有する２つのサービスネットワークに接続されたアクセスネットワークの概要図。
図５はＧＳＭネットワークに属しアクセスネットワーク内に配置されている無線装置を登録するための１つの方法に於けるシグナリングを図示する。
図６は図５に示すシグナリングを図示する流れ図。
図７はＰＳＴＮネットワークに属しアクセスネットワーク内に配置されている無線装置に別の呼を設定する際に実行されるシグナリングを図示する。
図８は図７に示されるシグナリング処理手順を図示する流れ図。
好ましい実施例の説明
図１は遠距離通信システムＴＳを図示し、これはユニバーサル移動体電話ネットワークＵＭＴＳを含む。このユニバーサル移動体電話ネットワークＵＭＴＳはアクセスネットワークＡＣＣと輸送ネットワークＴＲＮとを含む。アクセスネットワークＡＣＣおよび輸送ネットワークＴＲＮは共に図１内に共通の記号で示されている。この輸送ネットワークＴＲＮは後ほど更に詳しく説明する。アクセスネットワークＡＣＣは複数の基地局ＢＳ１およびＢＳ２を含み各々１つの地理的領域、それぞれいわゆるセルＣ１およびＣ２を無線信号でカバーしている。図１はアクセスネットワークＡＣＣ内に配置されている僅かの基地局ＢＳ１，ＢＳ２を示すのみである。基地局ＢＳ１およびＢＳ２は無線制御装置ＲＮＣ２に接続されている。無線制御装置ＲＮＣ２は接続されている基地局ＢＳ１，ＢＳ２相互間で信号を配信する。図１の遠距離通信システムＴＳは複数のサービスネットワークＶＯＤ，ＧＳＭ，ＰＳＴＮおよびＩＮＴＥＲＮＥＴを含む。サービスネットワークＶＯＤ、これはビデオネットワーク（ビデオオンデマンド）であり例えばビデオ貸し出し業者によって使用され、ビデオフィルムからの信号をそのフィルムを借りる個人に対して、すなわち前記個人のテレビ機器ＴＥに対して料金支払いに応じて輸送する。サービスネットワークＧＳＭは移動体電話ネットワークであり、例えば音声信号をこの移動体電話ネットワーク内の加入者の移動体電話機器ＭＥ相互間で輸送するために使用される。サービスネットワークＰＳＴＮは公衆交換機電話ネットワークであり、公衆電話ネットワーク内の加入者の恒久的に接続された電話器ＰＥへ音声信号を輸送するために使用される。サービスネットワークＩＮＴＥＲＮＥＴは電子郵便をその郵便ネットワークの使用者のコンピュータ機器ＣＥ相互間で輸送するために使用される。指定ネットワーク標準が前記ネットワーク内での通信時にそのネットワークで使用されるシグナリングプロトコルで定義される、すなわち”言語”シグナリングノードがそのネットワーク内で互いに通信するために使用される。プロトコルの例はＭＡＰおよびＢＳＳＡＰであり、これらは共に移動体電話ネットワークＧＳＭ内で使用される。シグナリングプロトコルはそれぞれのネットワークの指定標準の中に詳細に記述されている。
遠距離通信ネットワークＴＳ内の各々のサービスネットワークＶＯＤ，ＧＳＭ，ＰＳＴＮおよびＩＮＴＥＲＮＥＴはアクセスネットワークＡＣＣに少なくとも１つの入力ポート０１，Ｐ１，Ｐ２，Ｐ３，Ｐ４，Ｑ１，Ｒ１を経由して接続されている。図示されている実施例によれば、アクセスネットワークＡＣＣ内の無線制御装置ＲＮＣ２は各々のサービスネットワークの少なくとも１つの入力ポート０１，Ｐ１，Ｑ１，Ｒ１に接続されている。遠距離通信システムＴＳは無線装置ＴＵ，ＧＵ，ＰＵおよびＣＵを含みこれらはアクセスネットワークＡＣＣの無線カバー領域内に配置されている。各々の無線装置ＴＵ，ＧＵ，ＰＵ，ＣＵはアクセスネットワークＡＣＣ内の各々の基地局ＢＳ１，ＢＳ２と接続を確立できる。無線装置の１つと選択されたサービスネットワークとの間の信号輸送は、いわゆる信号キャリアの上で行われる。信号キャリアはデータを２つのシグナリングノード間で透過的に移動させる。アクセスネットワークＡＣＣ内の異なるシグナリングノードの例は入力ポート０１，Ｐ１，Ｐ２，Ｐ３，Ｐ４，Ｑ１，Ｒ１，無線制御装置ＲＮＣ２，基地局ＢＳ１，ＢＳ２および無線装置ＴＵ，ＧＵ，ＰＵ，ＣＵである。
第一信号キャリアＳＣ１が図１内にＧＳＭ型のサービスネットワークに接続された入力ポートＰ２と無線制御装置ＲＮＣ２との間の鎖線で示されている。第二信号キャリアＳＣ２が図１内に無線制御装置ＲＮＣ２と携帯型無線装置ＧＵとの間に基地局ＢＳ２を経由する鎖線で示されている。信号キャリアＳＣ１およびＳＣ２は後ほど更に詳細に説明する。無線装置ＴＵ，ＧＵ，ＰＵおよびＣＵはアクセス部とサービス部とを含む。アクセス部はアクセスネットワークＡＣＣに属し、無線装置ＧＵとアクセスネットワークＡＣＣ内の無線制御装置ＲＮＣ２との間の第二信号キャリアを確立するために必要なシグナリングを取り扱う。図示されている実施例の第二信号キャリアＳＣ２の無線基盤部はＣＤＭＡ基盤無線インタフェースで構成されている。このインタフェースは後ほど更に詳細に説明する。サービス部はサービスネットワークＶＯＤ，ＧＳＭ，ＰＳＴＮまたはＩＮＴＥＲＮＥＴのいずれか１つに属し、そのサービスネットワークで指定された標準に従い、確立された信号キャリアＳＣ１およびＳＣ２経由で信号の受信および送信を行う。無線装置のアクセス部およびサービス部は後ほど更に詳細に説明する。
従って、本発明に基づけば少なくとも１つの信号キャリアがアクセスネットワークを通して、無線装置と前記装置の本拠ネットワークとの間に確立される。メッセージはその後その信号キャリア上をアクセスネットワークを通してサービス部とその無線装置の本拠ネットワークとの間を透過的に輸送される。
図２は信号キャリアの構成例を図示する。
図２はＣＣＩＴＴ第７シグナリングシステム型の信号輸送システムを図示する。第７システムに基づくシグナリング、いわゆるＣ７シグナリングは当業分野で知れらており、ＣＣＩＴＴ青書第６巻、勧告Ｑ．７００に詳細に記述されている。以下にＣ７シグナリングの原理を、本発明の理解を助ける目的で簡単に説明する。信号キャリアは輸送機構ＭＴＰを含み、これは１つのメッセージを信頼性を保ちながら２つの指定されたシグナリングノード間で輸送する。そのメッセージは発信元ノード内の”ダウンパックされたか”？である。このメッセージは続いて物理リンク上を発信元ノードから宛先ノードへ輸送され、その中でのメッセージは”アップパックされたか”？である。このメッセージのダウンパック、輸送およびアップパックは輸送機構ＭＴＰの助けを借りて実行されるが、これは後ほど更に詳細に説明する。この輸送機構ＭＴＰはＣ７信号輸送システムの一部であり、ネットワーク通信に於ける１つの標準モデルであるいわゆるＯＳＩモデルで表現される。ＯＳＩモデルの全体が図２ａに図式的に示されており、見て分かるように全部で７つの層Ｌ７−Ｌ１を含む。下位の３層Ｌ３，Ｌ２，Ｌ１は先に述べたメッセージ輸送部ＭＴＰに対応し、これは図２ｂを参照して更に詳しく説明する。上位４層Ｌ７，Ｌ６，Ｌ５およびＬ４はサービスネットワークの指定シグナリング標準に対応する。先に述べた無線装置ＴＵ，ＰＵ，ＲＬＬおよびＣＵはサービスネットワークの標準に従ってメッセージを生成する装置の例である。ＯＳＩモデル内での層がより深くなると、その層は異なる指定標準を有する複数の異なるサービスネットワークで更に一般的に使用できるようになる。一方ＯＳＩモデル内で層がより高くなると、当該層は特定サービスネットワークに専用に適用されるようになる。ＭＡＰ（移動体アプリケーション部）およびＢＳＳＡＰ（基地局システムアプリケーション部）、は共にＧＳＭを意図しているが、これらは最上位層Ｌ７に属するプロトコルの例である。電話機使用者部ＴＵＰ（電話機使用者部）はＰＳＴＮ向けメッセージを生成し、これは上位２層Ｌ６およびＬ７に属し、使用者プロトコルの別の例である。図は最上位層に属するプロトコルの更に別の例、例えばＩＳＵＰ（統合サービスディジタルネットワーク使用者部）を示しており、これはＩＳＤＮ向けメッセージを生成する。
図２ｂは輸送機構ＭＴＰを示し、此処ではＯＳＩモデル内の下位３層Ｌ１，Ｌ２およびＬ３で表現されている。メッセージＤＡＴＡはサービスネットワークの指定シグナリング標準に基づいて生成される。例えばＭＡＰ型メッセージであるそのメッセージＤＡＴＡは、図で＞＝４と印をされた上位層から第三層Ｌ３に配信される。この第三層Ｌ３はネットワーク層であってそのメッセージＤＡＴＡを正しいシグナリングノードに分配し発信する。メッセージＤＡＴＡはこの第三層内に、なかんずく発信元アドレスＯＰＣと宛先アドレスＤＰＣと一緒に配置される。第三層Ｌ３の内容は第二層Ｌ２へ送られる。第二層Ｌ２はその第三層の内容を信頼性高く輸送する責任を有する。第三層の内容は第二層内に、なかんずくチェック和ＣＫと誤り訂正ビットＣｏｒｒと共に配置される。次に第二層Ｌ２の内容が第一層Ｌ１に送られる。第一層Ｌ１はシグナリング輸送に必要なハードウェアを含む。第一層は第二層からのビット情報を正しい大きさおよび形状のパルスに変換する。これらのパルスはそれらの正しい宛先、物理シグナリングリンクへ輸送される。先に説明したように、これは下位三層Ｌ３，Ｌ２およびＬ１の助けを借りて、無線装置とサービスネットワークとの間に透過接続がユニバーサルネットワークを通して確立されているので実現できる。図２に示された信号キャリアは、考えられる信号キャリアの単に１つの例に過ぎない。
１つの実施例に基づけば、先に述べた第一信号キャリアＳＣ１は、Ｘ．７５型シグナリングシステムである、別の信号輸送システムの助けを借りて確立される。Ｘ．７５システムに基づくシグナリングは当業分野で知られており、ＣＣＩＴＴ青書第８巻、勧告Ｘ．７５に詳細に記述されている。本発明をより良く理解させることを意図して、Ｘ．７５シグナリングシステムの原理を以下に簡単に説明する。Ｘ．７５シグナリングは輸送装置を含み、この助けを借りてメッセージが２つのシグナリングノードの間で輸送される。輸送装置はパケット層、リンク層および物理層を含む。第一シグナリングノードから第二ノードへ移動されるべきメッセージはパケット層に配送される。パケット層はそのメッセージをＸ．７５基盤ネットワーク内で輸送するために適したフォーマットに変換する。パケット層の内容はリンク層に配送される。このリンク層はパケット化されたメッセージを宛先シグナリングノードに信頼性高く輸送することを、中でもチェック和およびパリティービットを含めることで保証する。リンク層の内容は次に物理層に配送される。物理層は信号輸送に必要なハードウェアを含む。物理層は第二層からのビット情報を正しい大きさおよび形状の電気パルスに変換する。これらのパルスは物理リンク上のそれらの正しい宛先に輸送される。この様にして複数の層が互いに輸送機構を形成し、これはメッセージを信頼性高く正しいシグナリングノードに輸送する。最も基本的な形式として、メッセージはそれらの相互の順番が輸送機構には重要な意味を持たない複数のバイナリー文字を含む。メッセージの内容は輸送機構にとって重要ではないので、異なる信号標準を有するネットワーク内で生成されたメッセージをその輸送機構の助けを借りて輸送することが出来る。そのメッセージの内容は端末ポイントを構成する信号ノード、すなわち信号キャリアへ配送される前にそのメッセージが生成されたノードまたは信号キャリアから受信された後そのメッセージが読み出されかつ処理される信号ノードに到達するまで重要で無いかまたは意味を持たない。図１に示される第一信号キャリアＳＣ１はＧＳＭメッセージを透過的にＧＳＭ入力ポートＰ２と無線制御装置ＲＮＣ２との間で輸送する。理解されるように第一信号キャリアＳＣ１はアクセスネットワークＡＣＣを通る信号キャリアの一例に過ぎない。別の型式の信号キャリアを考慮することも可能であり、例えば先に説明したＣＣＩＴＴ第７の信号キャリアでも構わない。
図１に示す無線制御装置ＲＮＳ２と無線装置ＧＵとの間の第二信号キャリアＳＣ２は、この目的のために特に専用の論理チャンネルの助けを借りて、無線制御装置ＲＮＣ２と無線装置ＧＵとの間に確立される。この専用チャンネルは無線制御装置ＲＮＣ２または無線装置ＧＵ、いずれかからの要求に応じて確立される。専用チャンネルの確立に続いて、信号輸送が前記チャンネル上で無線制御装置ＲＮＣ２から無線装置ＧＵへ、またはその逆方向のいずれかで実行出来る。この専用チャンネルはその解放要求がなされるまで、その無線制御装置と無線装置との間のシグナリング専用に残される。図示された実施例に於いて、無線装置ＧＵと基地局ＢＳ２との間の第二信号キャリアＳＣ２の空中基盤部は、ＣＤＭＡ基盤無線インタフェースを含む。この第二信号キャリアＳＣ２の地上基盤部はＣＣＩＴＴ青書第８巻、勧告Ｘ．２５に記載のＸ．２５システムに基づく信号キャリアである。第二信号キャリアを形成する上記部分はアクセスネットワークＡＣＣ内で考えることの出来る信号キャリアの例に過ぎない。
図３は、図１を参照して先に説明したユニバーサルネットワークＵＭＴＳがＧＳＭ型サービスネットワーク、いわゆるＧＳＭネットワークに接続されているブロック図である。２つのネットワークＵＭＴＳおよびＧＳＭは相互に入力ポートＰ２を経由して接続されている。ユニバーサルネットワーク内のアクセスネットワークＡＣＣは携帯型無線装置ＧＵ、基地局ＢＳ２、無線制御装置ＲＮＣ２および入力ポートＰ２の一部を含む。無線装置ＧＵはＧＳＭネットワーク内の本拠地装置、いわゆるＧＳＭ装置ＧＵとして登録されている。ＧＳＭ装置ＧＵはアクセス部ＡＰＧおよびサービス部ＳＰＧを含む。アクセス部ＡＰＧはアクセスネットワークＡＣＣに属し先に述べたＧＳＭ装置ＧＵと無線制御装置ＲＮＣ２との間の信号キャリアＳＣ２を確立するために必要なシグナリングを取り扱う。先に述べた第一信号キャリアＳＣ１と第二信号キャリアＳＣ２は図３の中でＧＳＭ装置ＧＵ、無線制御装置ＲＮＣ２および入力ポートＰ２の間の太線で示されている。サービス部ＳＰＧはＧＳＭネットワークに属しＧＳＭネットワークの指定標準に基づいて、第一および第二信号キャリアＳＣ１およびＳＣ２経由で信号の送受信を行う。無線制御装置ＲＮＣ２は無線資源装置ＲＲＲを含み、これはＧＳＭ装置ＧＵ内のアクセス部ＡＰＧと共に無線制御装置ＲＮＣ２とＧＳＭ装置ＧＵとの間の第二信号キャリアＳＣ２の確立、保守および解放を行う。無線制御装置ＲＮＣ２は信号端末ＳＴＥＲを含み、これは入力ポートＰ２内の信号端末ＳＴＥＰと共に、無線制御装置ＲＮＣ２と入力ポートＰ２との間の第一信号キャリアＳＣ１の確立、保守および解放を行う。信号端末ＳＴＥＲおよびＳＴＥＰは先に述べたＸ．７５システム内の輸送層（パケット、リンクおよび物理層）を生成する。無線制御装置ＲＮＣ２は伝送装置ＴＥＲを含み、これはメッセージを第一の確立された信号キャリアＳＣ１から第二信号キャリアＳＣ２へ、またはその逆方向へ移動させる。入力ポートＰ２はまた伝送装置ＴＥＰをも含み、これは第一の確立された信号キャリアＳＣ１と、ＧＳＭネットワーク内で入力ポートＰ２とＧＳＭネットワーク内の移動体サービス交換センタＭＳＣとの間で確立されているＧＳＭキャリアＳＣＧＳＭとの間でメッセージを移動させる。このメッセージの輸送が図３の中で伝送装置ＴＥＰの上側に尖った先端を有する太い実線で印されている。１つの型式の信号キャリアから別の型式へのこのメッセージ輸送は従来型電話技術の一部を形成しており、例えばＣＣＩＴＴ青書第８巻、勧告Ｘ．７５の中に詳しく記述されている。簡単に説明すると、２つの信号キャリアＳＣ１とＳＣＧＳＭを確立する際に”ポインタ”が伝送装置ＴＥＰ内に格納される。メッセージが第一信号キャリアＳＣ１から到着する際にはＧＳＭ信号キャリアＳＣＧＳＭが指示される。メッセージがＧＳＭ信号キャリアＳＣＧＳＭから到着する際には第一信号キャリアＳＣ１が指示される。先に述べたようにそれに基づいてメッセージが生成された指定標準は、信号キャリアがメッセージを透過的に輸送または伝送し、かつメッセージがシグナリングノードに到着した時点で１つのキャリアから別のキャリアへ伝送する事にのみ責任を有している場合は、信号キャリアにとって重要では無い。入力ポートＰ２はメッセージ輸送装置ＭＴＰＰを含み、これは第７シグナリングの助けを借りてＧＳＭ信号キャリアＳＣＧＳＭの確立、保守および解放を取り扱う。移動体交換センタＭＳＣはメッセージ輸送装置ＭＴＰＭを含み、これは入力ポートＰ２のメッセージ輸送装置ＭＴＰＰと共にＧＳＭ信号キャリアＳＣＧＳＭを処理する。移動体サービス交換センタＭＳＣはシグナリングノードＳＰＭを含み、これはＧＳＭネットワーク内の指定標準に基づきメッセージを生成する。先に述べたＢＳＳＡＰプロトコルはこの様な標準の一例である。図示された事例に於いて、シグナリングノードＳＰＭはＧＳＭネットワークの中でＧＳＭネットワークとＧＳＭ装置ＧＵとの間で輸送されるＢＳＳＡＰメッセージに関する開始点または終端点である。ＧＳＭ装置ＧＵ内のサービス部ＳＰＧはＢＳＳＡＰメッセージの輸送に関する別の開始点または終端点を形成する。このＢＳＳＡＰメッセージはＧＳＭネットワーク内でＧＳＭ信号キャリアＳＣＧＳＭ経由で輸送される。入力ポート内の伝送装置ＴＥＰの助けを借りて、ＢＳＳＡＰメッセージはＧＳＭ信号キャリアＳＣＧＳＭから、Ｘ．７５型である第一信号キャリアＳＣ１へ輸送される。ＢＳＳＡＰメッセージは第一信号キャリアＳＣ１経由で輸送され、無線制御装置ＲＮＣ２内で受信される。無線装置内で受信された後、ＢＳＳＡＰメッセージは第一信号キャリアＳＣ１から、Ｘ．２５の地上基盤部を含む第二信号キャリアＳＣ２へ、無線制御装置のアクセスネットワーク内の伝送装置ＴＥＲの助けを借りて伝送される。このメッセージは無線制御装置からＧＳＭ装置ＧＵへ基地局ＢＳ２経由で輸送される。従ってＢＳＳＡＰメッセージは移動体サービス交換センタＭＳＣからＧＳＭ信号キャリア経由でアクセスネットワークを通してＧＳＭ装置ＧＵへ、第一信号キャリアＳＣ１および第二信号キャリアＳＣ２を介して透過的に輸送される。アクセスネットワークを通して無線装置ＴＵ，ＧＵ，ＰＵ，ＣＵとそれらのそれぞれの本拠ネットワークＶＯＤ，ＧＳＭ，ＰＳＴＮ，ＩＮＴＥＲＮＥＴとの間でシグナリングを実行する際の種々のシグナリング処理手順を別の実施例を参照して更に詳しく説明する。先に説明した信号キャリアＳＣ１，ＳＣ２およびＳＣＧＳＭは先に述べたテキスト内の仕様の中に詳しく規定されている。しかしながら当業者には容易に理解されるように、メッセージを異なる型式の信号キャリアの助けを借りてアクセスネットワークを通して透過的に輸送する事が可能であり、また異なる指定標準に基づいて生成された信号を前記信号キャリアを経由して透過的に輸送することが出来る。
アクセスネットワークＡＣＣを図示することに加えて、図３はまた輸送ネットワークＴＲＮをも示している。アクセスネットワークと同様、輸送ネットワークＴＲＮはＧＳＭ装置ＧＵ、基地局ＢＳ２、無線制御装置ＲＮＣ２および入力ポートＰ２の一部を含む。輸送ネットワークＴＲＮは入力ポートＰ２と基地局ＢＳ２との間に地上基盤部ＡＴＭを含み、当該部は図示された事例ではＡＴＭ型式である。輸送ネットワークＴＲＮはまた基地局ＢＳ２と無線装置との間に空中搬送部ＣＤＭＡを含み、これは図示された事例ではＣＤＭＡ型式である。データは輸送ネットワークＴＲＮ内のデータキャリア経由で、原理的に先に述べた信号輸送と同様の方法で輸送される。輸送ネットワークはまた先に説明した信号キャリアＳＣ１，ＳＣ２およびＳＣＧＳＭを確立する際に必要なＡＰＧ，ＲＲＲ，ＳＴＥＲ，ＳＴＥＰ，ＭＴＰＰおよびＭＴＰＭに相当する機器も含む。しかしながらこれらの機器は図３には示されていない。地上基盤ＡＴＭ部は第一データキャリアＤＣ１を入力ポートＰ２と無線制御装置ＲＮＣ２との間に、また第二データキャリアＤＣ２の第一部を無線制御装置ＲＮＣ２と基地局ＢＳ２との間に含む。先に述べたように基地局ＢＳ２とＧＳＭ装置ＧＵとの間の第二データキャリアＤＣ２の第二部は空中基盤でありＣＤＭＡ型式である。データキャリアは図３の中で中抜きの太線で示されている。１つのデータキャリアからもう一方へデータが輸送される原理は、異なる信号キャリア間での輸送を参照して先に説明したものと同様である。第一データキャリアＤＣ１とＧＳＭデータキャリアＤＳＧＳＭがＧＳＭネットワーク内に確立されるのと同時にポインタが伝送装置ＴＥＰの中に格納される。例えばデータパケットが第一データキャリアＤＣ１から到着すると、ポインタはＧＳＭ信号キャリアＤＣＧＳＭを指し、データがＧＳＭ信号キャリアから到着するとポインタは第一データキャリアを指示する。この伝送に関してはＡＴＭフォーラム（版１．０、１９９３年９月）のＢ−ＩＣＩ仕様の中に詳しく記述されている。ＡＴＭネットワークはデータを要求されたレートまたは速度で伝送することを可能とする。ＡＴＭネットワークは当業分野で良く知られておりまたＡＴＭフォーラムのＢ−ＩＣＩ，ＡＡＬおよびＵＮＩ仕様の中に詳細に記述されている。ＡＴＭネットワークと同様、ＳＤＭＡネットワークは可変通信レートまたは速度でのデータ通信を可能とする。可変データ通信レートを具備したＣＤＭＡネットワークに関する報告書がＩＥＥＥ発行の通信特集”ＣＤＭＡネットワーク”の中にファイルされている。この報告書は可変データ通信レートを有するＣＤＭＡシステムを開示している。先に説明したＧＳＭ装置ＧＵと基地局ＢＳ２との間のシグナリングに特化した専用チャンネルに加えて、ＧＳＭ装置ＧＵと基地局ＢＳ２との間のデータ通信用の専用チャンネルを割り当てることも可能である。ＡＴＭネットワークおよびＣＤＭＡネットワークはデータを広範なスペクトルの中で通信することを可能とする。２つのネットワークは広い周波数範囲でデータを通信する事、すなわち可変レートでのデータ通信を可能とする。異なる通信レートでのキャリアサービスの例は：
＊狭帯域：０から６４ｋビット／秒
＊中帯域：６３ｋビット／秒から２Ｍビット／秒
＊広帯域：２Ｍビット／秒から１５５Ｍビット／秒、である。
異なるデータ通信の例は：
−音声、これは通常狭帯域を使用する。
−低速度データ、これは通常中帯域を使用する。
−Ｌａｎ、これは通常中帯域を使用する。
−マルチメディアメール、これは通常中帯域を使用する。
−オーディオ、これは通常中帯域を使用する。
−ビデオ、これは通常中帯域を使用する。
ＡＴＭネットワークおよびＣＤＭＡネットワークは本発明を実施することの出来る異なるネットワークの例として示しているに過ぎない。
図４は先に図１および図３を参照して説明したアクセスネットワークＡＣＣを図示する。アクセスネットワークＡＣＣは、いわゆる検索領域と呼ばれるＬＡ１，ＬＡ２，ＬＡ３およびＬＡ４の様なロケーション領域を含み、その各々は複数のセルを含む。先に述べたように、セルは異なる基地局ＢＳ２の無線カバー領域を象徴する。異なる検索領域ＬＡ１，ＬＡ２，ＬＡ３およびＬＡ４の境界は図の中で、それぞれの検索領域内のセル群の間の太い実線で印されている。各々の検索領域ＬＡ１，ＬＡ２，ＬＡ３およびＬＡ４内の基地局ＢＳ２は無線制御装置ＲＮＣ１，ＲＮＣ２，ＲＮＣ３およびＲＮＣ４の１つで処理されている。先に述べたように、アクセスネットワーク内の携帯型無線装置ＧＵはいわゆるＧＳＭ装置であって、これはＧＳＭネットワークに所属するものとして登録されている。従ってＧＳＭネットワークはその無線装置の本拠ネットワーク、いわゆるＧＳＭ本拠ネットワークである。アクセスネットワーク内のその他の無線装置、いわゆるＰＳＴＮ装置ＰＵはＰＳＴＮ型サービスネットワーク、その無線装置ＰＵのいわゆるＰＳＴＮ本拠ネットワークに所属するものとして登録されている。ＧＳＭ本拠ネットワークはアクセスネットワークＡＣＣに、先に図１を参照して説明した入力ポートＰ１，Ｐ２，Ｐ３およびＰ４を介して接続されている。図は更に別のポートＰ２’およびＰ２”を示している。更に別の入力ポートはＧＳＭ本拠ネットワークを取り扱う運用管理者以外の運用管理者（所有者）に属する。スウェーデンＧＳＭ運用管理者の例は、ＴＥＬＩＡ，ＥＵＲＯＰＯＬＩＴＡＮおよびＣＯＭＶＩＱである。各運用管理者はサービスネットワークＧＳＭ，ＧＳＭ’およびＧＳＭ”を取り扱い、各々のネットワークはアクセスネットワークＡＣＣにポートＰ２，Ｐ２’およびＰ２”経由で接続されている。各ポートは無線制御装置ＲＮＣ１，ＲＮＣ２，ＲＮＣ３およびＲＮＣ４の少なくとも１つに接続されている。図示された実施例によれば、前記運用管理者の全てのポートＰ２，Ｐ２’およびＰ２”は同一場所に配置され同一無線制御装置ＲＮＣ２に接続されている。本拠ネットワークＧＳＭは移動体サービス交換センタＭＳＣを含み、これは本拠ネットワークＧＳＭ内部のシグナリングノードに接続されている。ＧＳＭネットワーク内のシグナリングノードの例は本拠地レジスタＨＬＲおよび訪問地レジスタＶＬＲである。移動体サービス交換センタはまた入力ポートＰ１，Ｐ２，Ｐ３およびＰ４にも接続されている。ＧＳＭ装置ＧＵは本拠ネットワークＧＳＭに所属するものとして本拠地レジスタＨＬＲ内に恒久的に登録される。ＧＳＭ装置ＧＵは移動体サービス交換センタＭＳＣで取り扱われているＧＳＭネットワーク内の１つのセルへの訪問者として訪問地レジスタＶＬＲの中に一時的に登録される場合もある。本発明によれば、ＧＳＭ装置はまたアクセスネットワークＡＣＣ内の１つのセルの中の１訪問者としても登録される。セルには移動体サービス交換センタＭＳＣからポートＰ１，Ｐ２，Ｐ３，Ｐ４の１つを経由して接続できる。ＧＳＭ装置が接続することの出来るポートＰ１，Ｐ２，Ｐ３またはＰ４に関する情報は訪問地レジスタＶＬＲの中に格納されている。自身の本拠ネットワークＧＳＭおよびアクセスネットワークＡＣＣ両方の無線インタフェースへのアクセスを取り扱えるようにするために、二重無線インタフェース、いわゆる二重モード装置を具備した移動体電話装置を持つ必要がある。二重モード装置は移動体電話機がアクセスネットワークＡＣＣ内で使用される第一無線インタフェースおよび本拠ネットワークＧＳＭ内で使用される第二無線インタフェースを選択することを可能とする。選択されるインタフェースはその移動体が２つのネットワークＡＣＣ，ＧＳＭのどちらに配置されているかに依存する。移動体がアクセスネットワークＡＣＣからＧＳＭネットワークに移動する際、すなわち２つのネットワークＡＣＣとＧＳＭの間のセル境界を通過する際に、従来型ＧＳＭ技術に基づいてＧＳＭネットワーク内での登録が実行される。移動体がＧＳＭネットワークＧＳＭからアクセスネットワークＡＣＣへ移動する時これはアクセスネットワーク内で登録されるが、その方法は後ほど本文の中で更に説明する。先に述べたＰＳＴＮ装置ＰＵはアクセスネットワークＡＣＣ内に恒久的に設置されている電話機装置であり、これはその本拠ネットワークＰＳＴＮとアクセスネットワークＡＣＣ内の無線インタフェース経由で通信を行う。ＰＳＴＮ本拠ネットワークは第一ローカル交換機ＬＥ１、第二ローカル交換機ＬＥ２および第一中継交換機ＴＥを含む。ＰＳＴＮネットワーク内の電話機装置ＰＥは第一ローカル交換機ＬＥ１に接続されている。中継交換機ＴＥは２つのローカル交換機ＬＥ１およびＬＥ２とを相互接続する。第二ローカル交換機ＬＥ２はアクセスネットワークに入力ポートＱ１経由で接続されている。このポートＱ１は無線制御装置ＲＮＣ２に接続されている。次に先に述べた無線装置ＧＵおよびＰＵのそれぞれの本拠ネットワークＧＳＭおよびＰＳＴＮへのシグナリングをいくつかの方法ステップを参照して説明する。理解されるようにこの方法は異なるシグナリング処理手順の中で必要とされる全てのステップを図示することを要求してはいない。方法ステップの間で順序は変わりうる。またアクセスネットワークの構成も少し変更しうることを指摘しておく必要がある。例えば、各々の無線制御装置ＲＮＣ１，ＲＮＣ２，ＲＮＣ３およびＲＮＣ４が前記入力ポートＰ１，Ｐ２，Ｐ３およびＰ４に属すると考えることも出来る。
ＧＳＭ装置ＧＵを登録するための方法が図５に図示されている。例えばＧＳＭ装置はそれがＧＳＭネットワークからアクセスネットワークに通過する際に登録されるはずである。別の例はＧＳＭ装置が検索領域を通過する時またはＧＳＭ装置の電源が投入された時である。図５は図４と共に読まれたい。この方法は最初に、無線制御装置が接続されている入力ポート上にどのサービスネットワークが接しているかを開示する無線制御装置ＲＮＣ２情報を格納することから始まる。この方法は以下のステップを含む：
−ＧＳＭ装置の電源が入れられる。これは図５の中で円形の太い輪１で示されている。
−ブロードキャストメッセージ２がＧＳＭ装置ＧＵへ無線制御装置ＲＮＣ２から基地局ＢＳ２経由で送られる。このメッセージ２はＧＳＭ装置の位置をＧＳＭ本拠ネットワークで更新し続けるために必要な登録内容をこのＧＳＭ装置が理解するのに必要な情報を含む。メッセージ２内の情報の例は位置領域識別子（ＬＡＩＤ）、チャンネル記述またはアクセスネットワークＡＣＣへアクセスするために必要な電力等である。
−”チャンネル要求”メッセージ３が無線制御装置ＲＮＣ２へＧＳＭ装置ＧＵから基地局ＢＳ２経由で送られる。このメッセージはチャンネルに対する要求を含み、これはＧＳＭ装置と基地局ＢＳ２との間の排他的シグナリングを専用に行うためのいわゆる専用チャンネルである。
−受諾メッセージ４が無線制御装置ＲＮＣ２からＧＳＭ装置ＧＵへ送られる。受諾メッセージ４は専用チャンネルを指示する。この専用チャンネルは利用可能なチャンネルの間で選択した後に指示される。第二信号キャリアＳＣ２は専用チャンネルがＧＳＭ装置と基地局ＢＳ２との間のシグナリングに割り当てられた際に確立される。この信号キャリアＳＣ２はその解放要求がなされるまで確立された状態で残る。？
−アクセスメッセージ５がＧＳＭ装置ＧＵから無線制御装置ＲＮＣ２へ第二信号キャリアＳＣ２経由で送られる。このアクセスメッセージ５はＧＳＭ装置の使用者を表す加入者識別子ＡＩを含む。アクセスメッセージ５はまたサービス識別子をも含み、これは図示された実施例の場合は第一サービスネットワーク識別子を表し、これはその使用者の本拠ネットワークであるＧＳＭサービスネットワークを指示する。
−アクセスメッセージ５は無線制御装置ＲＮＣ２内で分析され、ポートＰ２が先に格納された情報に助けを借りてＧＳＭ本拠ネットワークへの入力ポートとして指示される。これは図の中で太い円形の輪６で印されている。
−図示された事例ではＸ．７５である第一信号キャリアＳＣ１が無線制御装置ＲＮＣ２と指定された入力ポートＰ２との間に、本文の中で先に説明したように確立される。第一信号キャリアＳＣ１はその解放要求が来るまで確立された状態が保たれる。
−２つの確立された信号キャリアＳＣ１，ＳＣ２が相互に接続される。信号キャリアのこの相互接続により、もしも両信号キャリアが確立されている場合はメッセージを第二信号キャリアＳＣ２から第一信号キャリアＳＣ１へ、またその逆方向へ連続的に配信する事が可能となる。第一および第二信号キャリアＳＣ１およびＳＣ２は図にＳＣ２＆ＳＣ１として示されている様に共通信号キャリアを形成する。
−加入者識別子ＡＩが無線制御装置ＲＮＣ２から入力ポートＰ２へ第一信号キャリアＳＣ１経由で、矢印７で示されるように転送される。
−ＧＳＭ信号キャリアＳＣＧＳＭが入力ポートＰ２と移動体サービス交換センタＭＳＣとの間に本拠ネットワークＧＳＭ内で使用されている輸送システムに基づいて確立される。図示された例によれば、ＧＳＭ信号キャリアＳＣＧＳＭは第７型であり、本文の中で先に説明した仕様に基づいて確立される。このＧＳＭ信号キャリアＳＣＧＳＭはその解放が要求されるまで確立されたまま残る
−確立された信号キャリアＳＣ１＆ＳＣ２およびＳＣＧＳＭは相互接続される。この相互接続により、もしも全ての信号キャリアが確立されている場合にはメッセージをＧＳＭネットワーク内のＧＳＭ信号キャリアＳＣＧＳＭからアクセスネットワーク内の信号キャリアＳＣ１＆ＳＣ２へ、またその逆方向へ連続的に配信することが可能となる。このメッセージ配信は今までに説明した。第一信号キャリアＳＣ１、第二信号キャリアＳＣ２およびＧＳＭ信号キャリアＳＣＧＳＭはこれらで図中にＳＣ２＆ＳＣ１＆ＳＣＧＳＭと示された共通信号キャリアを形成する。
−加入者識別子は入力ポートＰ２から移動体サービス交換センタＭＳＣへ矢印８で示されるように転送される。
−認証チェックに必要なシグナリングが、ＧＳＭ装置ＧＵ内のサービス部と本拠ネットワークＧＳＭとの間に信号キャリアＳＣ１，ＳＣ２およびＳＣＧＳＭの上を双方向に送られる。シグナリングは本拠ネットワークＧＳＭの指定標準に基づいて実行され、これは図中で両端矢印９で示されている。
−加入者は本拠ネットワークＧＳＭに所属するものとして受け付けられ、その加入者識別子ＡＩが移動体サービス交換センタ内の訪問地レジスタＶＬＲの中に入力ポートＰ２に関連するデータと共に格納される。このデータ格納は図５の中の円形の輪１０で印されている。
−信号キャリアの解放要求１１がシグナリングプロセスの終了に関連して行われる。
−確立された信号キャリアＳＣ１，ＳＣ２およびＳＣＧＳＭが解放される。この解放は図５の中で２つの太い実線矢印１２で示されている。
図６は先に説明した処理手順内の最も重要なステップを簡単に記述する流れ図である。図６は図４および図５と共に読まれたい。この図６の流れ図は下記のステップを図示する：
−ＧＳＭ装置の電源が投入される。これは図６内のブロック１０１で示されている。
−チャンネル要求メッセージ３がＧＳＭ装置ＧＵから無線制御装置ＲＮＣ２へ基地局ＢＳ２経由で、ブロック１０２に基づいて送られる。このメッセージはＧＳＭ装置と基地局ＢＳ２との間でシグナリングを排他的に割り当てることの出来るチャンネル、いわゆる専用チャンネル要求を含む。
−受諾メッセージ４が無線制御装置ＲＮＣ２からＧＳＭ装置ＧＵへ、ブロック１０３に基づいて送られる。この受諾メッセージ４は専用チャンネルを指示する。この専用チャンネルは利用可能なチャンネルの間で選択した後に指定される。第二信号キャリアＳＣ２は専用チャンネルがＧＳＭ装置と基地局ＢＳ２の間のシグナリングに割り当てられた際に確立される。
−アクセスメッセージ５がＧＳＭ装置ＧＵから無線制御装置ＲＮＣ２へ第二信号キャリアＳＣ２経由で、ブロック１０４に基づいて送られる。このアクセスメッセージ５はまた第一サービスネットワーク識別子をも含み、これはＧＳＭサービスネットワークをその使用者の本拠ネットワークとして指定する。
−アクセスメッセージ５は無線制御装置ＲＮＣ２内で分析され、ポートＰ２がＧＳＭ本拠ネットワークに対する入力ポートとして指定される。これは図中ブロック１０５で印されている。
−第一信号キャリアＳＣ１が無線制御装置ＲＮＣ２と指定された入力ポートＰ２との間で、ブロック１０６に基づいて確立される。
−加入者識別子ＡＩが無線制御装置ＲＮＣ２から入力ポートＰ２へ第一信号キャリアＳＣ１経由で、ブロック１０７に基づいて転送される。
−ＧＳＭ信号キャリアＳＣＧＳＭが入力ポートＰ２と移動体サービス交換センタＭＳＣとの間に、ブロック１０８に基づいて確立される。
−認証チェックのために必要なシグナリングがＧＳＭ装置ＧＵ内のサービス部と本拠ネットワークＧＳＭとの間で、ブロック１０９に基づいて送られる。
−加入者識別子ＡＩが入力ポートＰ２から移動体交換センタＭＳＣへ、ブロック１１０に基づいて転送される。
−加入者識別子ＡＩが移動体交換センタ内の訪問地レジスタＶＬＲの中に、入力ポートＰ２に関連するデータと共に格納される。このデータ格納は図６の中にブロック１１１で印されている。
−確立された信号キャリアＳＣ１，ＳＣ２およびＳＣＧＳＭが解放される。このキャリア解放は図６の中にブロック１１２で示されている。
上記の図４−６を参照したシグナリング例の中に図示されている動作はＧＳＭ装置の登録である、もちろんその発信元をＧＳＭ装置ＧＵに持ち、例えば呼接続の設定またはその他の型式のサービス要求といったその他の動作を考えることも可能である。その動作を実行するために異なる信号キャリアＳＣ１およびＳＣ２を確立する必要がある。透過シグナリングは信号キャリアの確立に続いてアクセスネットワークを通して実施される。この件に関して、ＧＳＭ装置は本拠ネットワークＧＳＭによってＧＳＭ本拠ネットワーク内に配置された無線装置として識別される。以下にアクセスネットワークＡＣＣ内に配置され、ＧＳＭプロトコルＢＳＳＡＰ以外の標準シグナリングプロトコルを使用し、ＧＳＭ本拠ネットワークと異なる本拠ネットワークを有するＰＳＴＮ装置ＰＵがどの様にその本拠ネットワーク、すなわちＰＳＴＮ本拠ネットワーク内の無線装置として識別されるかを説明する。
ＰＳＴＮネットワーク内のＡ加入者からアクセスネットワークＡＣＣ内のＢ加入者への呼接続が設定される様子が以下の例に示されている。呼接続が確立された後、音声信号がデータ輸送ネットワークＴＲＮ経由で輸送される。この事例で、輸送ネットワークは一部がＡＴＭ型（非同期伝送モード）また一部がＣＤＭＡ型であり、これは図３を参照して先に説明した。ＰＳＴＮ装置がアクセスネットワークＡＣＣ内に組み込まれる際に、この装置は基地局ＢＳ２で取り扱われるセルまたは、セル２を取り囲む６つのセルの内の１つのいずれかの中に恒久的に存在するものとして登録される。ＰＳＴＮ装置はＰＳＴＮネットワーク内に、ＰＳＴＮネットワーク内の残りの加入者と同一型式の電話番号と共に登録される。ＰＳＴＮ装置を登録する際、入力ポートＱ１がそこを通して無線装置が連絡することの出来るポートとして与えられる。無線空間内で変化が生じるとＰＳＴＮ装置が周辺セルの１つの中に配置されたように受け取られる。従ってこのＰＳＴＮ装置は無線制御装置ＲＮＣ２内で、基地局ＢＳ２で取り扱われているセルＣ２を取り囲むセルの内の１つの中に存在する可能性があるものとして登録される。図４に於いて、セルＣ２は周辺セルよりも若干大きく示されている。従ってＰＳＴＮ装置は基地局ＢＳ２で取り扱われるセルまたは、セルＣ２を取り囲む６つのセルの内の１つのいずれかの中に配置されているはずである。
呼をＰＳＴＮネットワーク内の恒久的に接続された電話機装置ＰＥの使用者とＰＳＴＮ装置ＰＵの使用者との間で接続する際の処理手順が図７のアクセスネットワークＡＣＣの中に示されている。図７は図４と共に検証されたい。この方法は種々の方法ステップの中で後に続く完全なシグナリング処理手順を図示することを要求してはいない。この方法は下記のステップを含む：
−ＰＳＴＮネットワーク内の恒久的に接続された電話機装置ＰＥを使用するＡ加入者が、アクセスネットワークＡＣＣ内のＰＳＴＮ装置ＰＵへの呼接続要求を、電話番号すなわちＰＳＴＮ装置ＰＵのいわゆるＢ番号を与えることで行う。この要求は図の中で円形の輪２１で示されている。
−このＢ番号は第一ローカル交換機ＬＥ１の中で分析される。第一ローカル交換機ＬＥ１はＢ番号が指示する加入者が第一ローカル交換機ＬＥ１内で見つけられないことを発見し、この呼要求を中継交換機ＴＥへ転送し、これはまたＢ番号を分析しこのＢ番号が第二ローカル交換機ＬＥ２内の加入者を指示することを発見する。この呼は第二ローカル交換機ＬＥ２へ転送される。この分析中に第二ローカル交換機ＬＥ２は対象の加入者がポートＱ１に接続されていることを発見する。このポートＱ１はいわゆるＶ５．１インタフェース（ＥＴＳＩ標準ＥＴＳ３００  ３２４−１  １９９４年２月参照）を第二ローカル交換機ＬＥ２に対して構築している。この第二ローカル交換機ＬＥ２は呼接続要求をポートＱ１に対して送り、ここでＶ５．１インタフェース内の加入者を表すポート番号が指示される。この呼接続要求はその入力ポートＱ１内でページング要求に翻訳される。このページング要求はＰＳＴＮ装置ＰＵの識別子を含む。この方法ステップが図７の矢印２２で示されている。
−このページング要求は入力ポートＱ１から無線制御装置ＲＮＣ２へ、図７の矢印２３で示されるように転送される。
ページングメッセージ２４が無線制御装置ＲＮＣ２から、それが担当するセルの中に当該ＰＳＴＮ装置ＰＵが配置できるかまたはその可能性のある全ての基地局ＢＳ２へ送られる。この事例ではページングメッセージは当該ＰＳＴＮ装置が配置されている可能性のある７つの基地局に送られる。メッセージ２３はこのＰＳＴＮ装置が空きチャンネルを要求するために必要な情報を含む。この様な情報の例は、ポート識別子、チャンネル記述またはアクセスネットワークＡＣＣへアクセスするために必要な電力等である。
−チャンネル要求メッセージ２５がＰＳＴＮ装置ＰＵから無線制御装置ＲＮＣ２へ基地局ＢＳ２経由で送られる。このメッセージは特にＰＳＴＮ装置ＰＵと基地局ＢＳ２との間でのシグナリング専用のチャンネルに対する要求を含む。
−受諾メッセージ２６が無線制御装置ＲＮＣ２からＰＳＴＮ装置ＰＵへ送られる。受諾メッセージ２６は利用可能なチャンネルの中から専用チャンネルを指示する。
−第四信号キャリアＳＣ４がＰＳＴＮ装置ＰＵと基地局ＢＳ２との間のシグナリング用に特に割り当てられた専用チャンネルに基づいて確立される。第四信号キャリアＳＣ４はその解放要求がなされるまで確立されたまま維持される。
−アクセスメッセージ２７がＰＳＴＮ装置ＰＵから無線制御装置ＲＮＣ２へ第四信号キャリアＳＣ４経由で送られる。このアクセスメッセージ２７は加入者識別子ＡＩを含み、これはＰＳＴＮ装置の使用者を表す。アクセスメッセージ２７はまた第一サービスネットワーク識別子をも含み、これはそのＰＳＴＮサービスネットワークを現在の使用者の本拠ネットワークとして指示する。
−アクセスメッセージ２７は無線制御装置ＲＮＣ２の中で分析されて、ポートＱ１がＰＳＴＮ本拠ネットワークへの入力ポートとして指し示される。これは図の中で円形の輪２８で印されている。
−第三信号キャリアＳＣ３が確立される。この第三信号キャリアＳＣ３はその解放要求がなされるまで確立されたまま維持される。
−この２つの確立された第三信号キャリアＳＣ３およびＳＣ４が相互接続される。この相互接続により、もしも両信号キャリアが確立されている場合は第四信号キャリアＳＣ４からのメッセージが第三信号キャリアＳＣ３に対して、またその逆方向にも連続的に配信されるようになる。第三および第四信号キャリアＳＣ３およびＳＣ４はこれにより図の中でＳＣ４＆ＳＣ３と表されている共通信号キャリアを形成する。
−加入者識別子ＡＩが無線制御装置ＲＮＣ２から入力ポートＱ１へ第三信号キャリアＳＣ３経由で、矢印２９で示されるように転送される。
−加入者識別子ＡＩは入力ポートＱ１の中で分析され、この入力ポートは第二ローカル交換機ＬＥ２からの元の呼接続要求を識別する。これは図の中で円形の輪３０で印されている。
−ＰＳＴＮ信号キャリアＳＣＰＳＴＮがその本拠ネットワーク内で使用されている輸送システムに基づいて確立される。ＰＳＴＮ信号キャリアＳＣＰＳＴＮはその解放要求がなされるまで確立されたまま維持される。
−確立された信号キャリアＳＣ３＆ＳＣ４およびＳＣＰＳＴＮが相互接続される。信号キャリアのこの相互接続により、もしもこれらの信号キャリアが確立されている場合はＰＳＴＮネットワーク内のＰＳＴＮ信号キャリアＳＣＰＳＴＮからのメッセージがアクセスネットワーク内の信号キャリアＳＣ３＆ＳＣ４に対して、またその逆方向にも連続的に配信されるようになる。第三信号キャリアＳＣ３、第四信号キャリアＳＣ４およびＰＳＴＮ信号キャリアＳＣＰＳＴＮはこれにより図の中でＳＣ４＆ＳＣ３＆ＳＣＰＰＳＴＮと表されている共通信号キャリアを形成する。
−呼接続を確立するために必要なシグナリングが、矢印３１で示されるようにＰＳＴＮ装置ＰＵと本拠ネットワークＰＳＴＮの間を信号キャリアＳＣ３，ＳＣ４およびＳＣＰＳＴＮの上で双方向に送られる。シグナリングは本拠ネットワークＰＳＴＮの指定された標準に基づいて実行される。このシグナリングは電話機装置ＰＥおよびＰＵの二人の使用者、Ａ加入者およびＢ加入者の間のデータ伝送リンクの接続要求を含み、ここで通信レートまたは速度がＰＳＴＮ本拠ネットワークの通信レートに基づいて選択される。オーディオデータを通信しようとしているので狭帯域キャリアサービスが選択される。
−ＰＳＴＮデータ伝送リンクＤＣＰＳＴＮがＰＳＴＮネットワークを通して恒久接続された電話機装置ＰＥと入力ポートＱ１との間に接続される。データ伝送リンクは図７の中で太い中空の線で印されている。
−第一データ伝送リンクＤＣ１がＡＴＭネットワークを通して入力ポートＱ１と無線制御装置ＲＮＣ２との間に、先に述べたＡＴＭ仕様に基づいて接続される。
−第二データ伝送リンクＤＣ２がＡＴＭネットワークとＣＤＭＡネットワークとを通して、無線制御装置ＲＮＣ２とＰＳＴＮ装置ＰＵとの間に接続される。
−これらのデータ伝送リンクは相互接続される。このリンクの相互接続により、もしも信号キャリアが確立されている場合は、ＰＳＴＮネットワーク内のＰＳＴＮデータ伝送リンクＤＣＰＳＴＮからのデータがアクセスネットワークＡＣＣ内のデータ伝送キャリアＤＣ１およびＤＣ２に対して、またその逆方向に連続的に配信される。これにより種々のデータ伝送キャリアが図の中でＤＣ２＆ＤＣ１＆ＤＣＰＳＴＮと表された共通キャリアを形成する。
−音声データはＡ加入者とＢ加入者の間、すなわち恒久接続された電話機装置ＰＥとＰＳＴＮ装置ＰＵとの間に共通データ伝送キャリアＤＣ２＆ＤＣ１＆ＤＣＰＳＴＮ経由で伝送される３２。
−その呼が終了される際にデータキャリアＤＣ２＆ＤＣ１＆ＤＣＰＳＴＮの解放要求３３がなされる。
−データ伝送リンクが解放される。この解放は図７の中で２つの太い矢印３４で印されている。
−シグナリングの終了に関連して信号キャリアＳＣ４＆ＳＣ３＆ＳＣＰＳＴＮの解放要求３５がなされる。
−確立されていた信号キャリアＳＣ３，Ｓ℃およびＳＣＰＳＴＮが解放される。この解放は図７の中で２つの太い実線矢印３６で示されている。
図８は先に説明した方法の中で最も重要なステップを簡単に説明する流れ図である。図８は図４、５、６および７と共に読まれたい。図８の流れ図は下記のステップを含む：
−ＰＳＴＮネットワーク内で恒久接続された電話機装置ＰＥを使用する加入者がアクセスネットワークＡＣＣ内のＰＳＴＮ装置ＰＵに対して、電話番号すなわちＰＳＴＮ装置ＰＵのいわゆるＢ番号を与えることで呼接続要求を行う。この要求は図の中でブロック２０１で示されている。
−Ｂ番号が分析される。その分析の中で第二ローカル交換機ＬＥ２は対象の加入者がポートＱ１に接続されていることを、ブロック２０２に基づいて発見する
−この要求は入力ポートＱ１の中でページング要求に翻訳され、これは入力ポートＱ１から無線制御装置ＲＮＣ２へ、図８のブロック２０３に基づいて転送される。
−ページングメッセージ２４が無線制御装置ＲＮＣ２から、それが担当するセルの中に当該ＰＳＴＮ装置ＰＵが配置できるかまたはその可能性のある全ての基地局ＢＳ２へ、ブロック２０４に基づいて送られる。
−第四信号キャリアＳＣ４と第三信号キャリアＳＣ３とが、先の例で第二信号キャリアＳＣ２と第一信号キャリアＳＣ１とが確立されたのと同じ方法で確立される。第二および第一信号キャリアの確立は図５および６に示されている。この確立は図８の中にブロック２０５で印されている。
−ＰＳＴＮ信号キャリアＳＣＰＳＴＮが本拠ネットワーク内で使用されている輸送システムに基づいて、ブロック２０６に基づいて確立または設定される。
−呼接続を設定するために必要なシグナリングがＰＳＴＮ装置ＰＵと本拠ネットワークＰＳＴＮ内の恒久接続された電話機装置ＰＥとの間で、信号キャリアＳＣ３，ＳＣ４およびＳＣＰＳＴＮの上を双方向に、ブロック２０７に基づいて送られる。シグナリングは本拠ネットワークＰＳＴＮの指定された標準に基づいて実行される。このシグナリングは電話機装置ＰＥおよびＰＵの二人の使用者、Ａ加入者およびＢ加入者の間にデータ伝送リンクを接続するための要求を含み、伝送レートはＰＳＴＮ本拠ネットワークの伝送レートに基づいて選択される。
−ＰＳＴＮデータ伝送リンクＤＣＰＳＴＮがＰＳＴＮネットワークを通して、恒久接続された電話機装置ＰＥと入力ポートＱ１との間に、ブロック２０８に基づいて確立される。
−第一データ伝送リンクＤＣ１がＡＴＭネットワークを通して、入力ポートＱ１と無線制御装置ＲＮＣ２との間に、ブロック２０９に基づいて確立される。
−第二データキャリアＤＣ２がＡＴＭネットワークとＣＤＭＡネットワークとを通して、無線制御装置ＲＮＣ２とＰＳＴＮ装置ＰＵとの間に、ブロック２１０に基づいて確立される。
−オーディオデータがＡ加入者とＢ加入者の間、すなわち恒久接続された電話機装置ＰＥとＰＳＴＮ装置ＰＵとの間に、共通データ伝送キャリアＤＣ２＆ＤＣ１＆ＤＣＰＳＴＮ経由で、ブロック２１１に基づいて伝送される３２。
−呼が終了した後、データキャリアＤＣ２，ＤＣ１およびＤＣＰＳＴＮの解放要求３３が、ブロック２１２に基づいてなされる。
−データ伝送リンクが解放される。この解放は図８のブロック２１３で示されている。
−確立されていた信号キャリアＳＣ３，ＳＣ４およびＳＣＰＳＴＮが解放される。この解放は図８のブロック２１４で示されている。
先に述べたように、これまで説明し図示してきたいくつかの異なる方法が考えられる。例えばアクセスネットワーク内の無線制御装置のセル領域内に配置されている加入者を、その無線制御装置が接続されているサービスネットワークを取り扱う運用管理者とは異なる運用管理者または所有者によって取り扱われているサービスネットワークに属するものとして登録されることも考えられる。この場合、処理手順は最初にその無線制御装置内に異なる運用管理者との間に存在する協調関係に関する情報を格納することから始まり、その無線制御装置にとって未知の運用管理者を含むサービスネットワーク識別子を受信した際に協調関係が認められる別の運用管理者を指示する。協調関係が存在しない場合は、そのサービスネットワーク識別子で開示されている運用管理者によって取り扱われているものと同一指定ネットワーク型式のサービスネットワークの運用管理者が、ランダムにまたは予め定められた順序づけリストに基づいて指示される。
その他の改変もまた考えられる。例えばアクセスネットワークの運用管理者が、それぞれの本拠ネットワークの運用管理者に対してアクセスネットワークの使用に対する請求を行うために必要な情報を、本拠ネットワークＧＳＭまたはＰＳＴＮの指定に関連して格納することも可能である。更に別のシグナリング例がスウェーデン特許明細書第９４０４２８５−０、ＬＭエリクソン９４１２０７により申請の中に開示されている。この明細書は移動体電話ネットワーク（アクセスネットワークＡＣＣに相当する）内に配置されている移動体電話機装置が、地上基盤電話ネットワーク（本拠ネットワークに相当する）に属する場合を示している。このスウェーデン特許明細書は如何にしてその移動体電話機装置が地上基盤ネットワーク（本拠ネットワーク）の中に登録され、また如何にして呼接続が確立できるかまた如何にしてその移動体の移動体電話ネットワーク（アクセスネットワーク）内での動きが処理されるかを開示している。理解されるように、先に説明しかつ図示した本発明を例として示す実施例は、本発明の概念から逸脱することなく改変および変更する事が可能である。例えば、アクセスネットワーク内の無線インタフェースを衛星基盤のものとすることも可能である、すなわちアクセスネットワーク内の無線装置とアクセスネットワーク内の基地局との間の通信が衛星経由で行われる。無線信号の通信は実施例に基づくようなＣＤＭＡ技術の助けを借りて実行される必要も無い。無線信号をＴＤＭＡ技術（時分割多重アクセス）、ＦＤＭＡ技術（周波数分割多重アクセス）またはその他の適切な通信技術を用いて通信することも可能である。標準信号をアクセスネットワークを通して透過的に輸送する信号キャリアは、先に説明しかつ例で示した多くの使用可能な型式の中から選択することが出来る。
当然、ここに開示した以外のシグナリング標準を具備したその他の型式の多くのサービスネットワークも考えられる。ネットワーク型式のその他の例として、ＮＭＴ，ＡＭＰＳ，ＴＡＣＳ，ＰＤＣがあげられる。更に別のネットワークの型式もまた考えられ、例えばデータゲームネットワークＧＯＭ（ゲームオンデマンド）が、例えばデータゲーム代理店で使用でき、これはデータゲーム信号をそのゲームを借りる人に対価を受けて輸送する。
本発明の概念から逸脱することなく、いくつかの異なるアクセスネットワークの構成もまた考えられる。例えばあるサービスネットワークへアクセスネットワークの一部からバーアクセスすることも考えられる。またある場合には、無線制御装置とポートとを１つの同一場所内に配置して１つの同一ハードウェアに属するようにすることも考えられる。その他の別事例としては、先に図示し本文の中でユニバーサルネットワークとして参照したハードウェアに関連して、共通ネットワークの代わりにアクセスネットワークと輸送ネットワークとを分離したものも含まれる。
従って理解されるであろうが、本発明は先に説明しかつ図示した例として示した実施例に限定されるものではなく、改変を以下の請求の範囲内で行いうる。
【図１】
0003910632.tif 000002
【図２ａ】
0003910632.tif 000003
【図２ｂ】
0003910632.tif 000004
【図３】
0003910632.tif 000005
【図４】
0003910632.tif 000006
【図５】
0003910632.tif 000007
【図６】
0003910632.tif 000008
【図７】
0003910632.tif 000009
【図８】
0003910632.tif 000010